(57)【要約】【課題】光源の消費電力を抑制する。【解決手段】複数の光源が配列された表示面と、前記複数の光源にて発光された光を反射する反射面と、前記表示面を直接視認した直接像と、前記反射面を視認した反射像とを結合することにより表示情報が表示されるように前記複数の光源を点灯制御する点灯制御部と、を備える情報表示装置。【選択図】図２
2013033114.tif 000002
【特許請求の範囲】
【請求項１】
複数の光源が配列された表示面と、
前記複数の光源にて発光された光を反射する反射面と、
前記表示面を直接視認した直接像と、前記反射面を視認した反射像とを結合することにより表示情報が表示されるように前記複数の光源を点灯制御する点灯制御部と、
を備える情報表示装置。
【請求項２】
前記直接像と前記反射像とは、前記表示面と前記反射面とが交差する交差線に関して互いに線対称である、
請求項１に記載の情報表示装置。
【請求項３】
前記表示面と前記反射面とは、前記表示面と前記反射面とが交差する交差線を中心とした透明容器内に収容される、
請求項１または請求項２に記載の情報表示装置。
【請求項４】
前記表示面と前記反射面とが複数組備えられる、
請求項１から請求項３のいずれか一項に記載の情報表示装置。
【請求項５】
前記点灯制御部は、複数組の前記表示面と前記反射面とによりそれぞれ異なる前記表示情報が表示されるように前記複数の光源を点灯制御する、
請求項４に記載の情報表示装置。
【請求項６】
表示面に配列された複数の光源にて発光された光を反射面にて反射させ、
前記表示面を直接視認した直接像と、前記反射面を視認した反射像とを結合することにより表示情報が表示されるように前記複数の光源を点灯制御する、
情報表示方法。
【発明の詳細な説明】
【技術分野】
【０００１】
本発明は、情報を表示する情報表示装置および情報表示方法に関する。
【背景技術】
【０００２】
複数の光源から発光された光の照射方向を反射板により調整する表示装置が知られている（特許文献１、参照。）。
【先行技術文献】
【特許文献】
【０００３】
【特許文献１】特開２００１−２３４５１４号公報
【発明の概要】
【発明が解決しようとする課題】
【０００４】
特許文献１のように反射板を用いても光源の数を減少させることはできず、光源の消費電力を抑制することができないという問題があった。
本発明は、前記の問題を解決せんとするもので、光源の数を半分にすることによって消費電力を抑制することを目的とする。
【課題を解決するための手段】
【０００５】
本発明は、前記課題にかんがみてなされたもので、複数の光源が配列された表示面と、複数の光源にて発光された光を反射する反射面と、複数の光源を点灯制御する点灯制御部とを備える。点灯制御部は、表示面を直接視認した直接像と、反射面を視認した反射像とを結合することにより表示情報が表示されるように複数の光源を点灯制御する。表示面にて複数の光源が発光した光を直接視認することにより、直接像が視認できる。一方、直接像を表示させるように表示面にて複数の光源が発光した光が反射面にて反射した反射光を視認することにより、反射像が視認できる。すなわち、直接像と反射像とを表示するための光源を共通とすることができる。従って、光源の数を半分に減少させることができることにより消費電力を抑制できる。
光源は独立して点灯制御が可能な発光素子であり、例えば電球やＬＥＤ素子（発光ダイオード）が光源に該当する。また、液晶パネルの画素のようにバックライトと偏光素子とが組み合わせられることにより、光源が形成されてもよい。むろん、光源は単色光源に限らず、カラー光源であってもよい。なお、表示面を直接視認するとは、反射面を介することなく表示面を視認することを意味し、表示面を透明容器や屈折レンズ等の透明部材を介して視認する場合も含む。
【０００６】
なお、反射面の反射率をできるだけ高くすることが望ましい。これにより、反射像を直接像と同等の明るさとすることができ、表示する情報の明るさを均一にすることができる。また、表示面の光源にて発光された光を臨界角よりも浅く反射面に入射させ、表示面の光源にて発光された光を反射面にて全反射させることにより、直接像に対する再現性が高い反射面を得ることができる。
反射像は、直接像を反射面にて反射させた像であるため、直接像と線対称となる。すなわち、表示情報は、表示面と反射面とが交差する交差線に関して互いに線対称の直接像と反射像とを結合して表示される情報となる。
【０００７】
ここで、表示面と反射面とは、これらが交差する交差線を中心とした透明容器内に収容されてもよい。反射面を透明容器内に収容することにより、反射面の汚れを防止し、反射像が直接像に対して暗くなることが抑制できる。例えば、表示面と反射面とを円筒状の容器に収容することにより、円筒状の情報表示装置を形成し、その放射方向に表示した情報を視認させることができる。例えば、情報表示装置を円筒状のポールとして形成し、地面に対して鉛直に設置してもよい。むろん、表示面と反射面とを円筒形状以外の透明容器内に収容させてもよい。
【０００８】
さらに、単一の情報表示装置が表示面と反射面とを複数組備えてもよい。これにより、複数組の表示面と反射面とで複数の表示情報を表示することができ、単一の情報表示装置が表示可能な情報を増加させることができる。むろん、複数組の表示面と反射面とで同一の表示情報を表示させてもよい。表示面と反射面とを透明円筒状容器に収容する場合、互いに角度の異なる複数組の表示面と反射面とを、中心軸に関して回転対称となるように配置することができ、複数の放射方向に表示情報を表示することができる。
【０００９】
以上は、本発明が装置として実現される場合について説明したが、かかる装置を実現する方法としても本発明は実現可能である。また、以上のような情報表示装置は単独で実現される場合もあるし、ある方法に適用され、あるいは同方法が他の機器に組み込まれた状態で利用されることもあるなど、発明の思想としてはこれに限らず、各種の態様を含むものである。
【図面の簡単な説明】
【００１０】
【図１】本発明にかかる情報表示装置の機能ブロック図である。
【図２】情報表示装置の分解斜視図である。
【図３】表示部の平面図である。
【図４】（４Ａ），（４Ｂ），（４Ｃ），（４Ｄ）は表示情報を示す図である。
【図５】（５Ａ），（５Ｂ），（５Ｃ），（５Ｄ）は表示情報を示す図である。
【図６】情報表示装置の設置例を示す模式図である。
【図７】変形例にかかる情報表示装置の平面図である。
【図８】変形例にかかる情報表示装置の平面図である。
【発明を実施するための形態】
【００１１】
ここでは、下記の順序に従って本発明の実施の形態について説明する。
（１）情報表示装置の構成：
（２）表示例：
（３）設置例：
（４）変形例：
（１）情報表示装置の構成：
図１は、本発明の第１実施形態にかかる情報表示装置１の機能ブロック図である。情報表示装置１は、制御部１０と電源部２０と表示部３０とを備える。制御部１０は、図示しないＣＰＵとＲＯＭとＲＡＭと点灯制御回路とを備える。なお、制御部１０は、本発明の点灯制御部に相当する。制御部１０のＲＯＭ等には第１点灯データＣ１と第２点灯データＣ２とが記録される。第１点灯データＣ１と第２点灯データＣ２とは、予めＲＯＭ等に記録されていてもよいし、無線通信や有線通信やリムーバル記録メディアを介して取得されてもよい。電源部２０は、制御部１０が各種処理を実行するための電源と、表示部３０が各種表示を行うための電源とを生成する。制御部１０の点灯制御回路は、第１点灯データＣ１と第２点灯データＣ２のそれぞれに基づいて第１点灯制御データＣＣ１と第２点灯制御データＣＣ２を生成し、これらを表示部３０に出力する。
【００１２】
表示部３０は、第１表示ユニットＵ１と第２表示ユニットＵ２と第１反射板Ｂ１と第２反射板Ｂ２とを備える。第１表示ユニットＵ１と第２表示ユニットＵ２とは、それぞれドライバ回路Ｄ１，Ｄ２と、複数の光源としてのＬＥＤ素子（発光ダイオード）Ｅ１，Ｅ２とを備える。ドライバ回路Ｄ１，Ｄ２には、電源部２０から電源が供給される。また、ドライバ回路Ｄ１，Ｄ２には、制御部１０から第１点灯制御データＣＣ１と第２点灯制御データＣＣ２とがそれぞれ出力される。ドライバ回路Ｄ１，Ｄ２は、第１点灯制御データＣＣ１と第２点灯制御データＣＣ２とに基づいて、ＬＥＤ素子Ｅ１，Ｅ２のそれぞれに対して駆動電流を供給するか否かを切り替える。すなわち、第１表示ユニットＵ１と第２表示ユニットＵ２とにおいては、第１点灯データＣ１と第２点灯データＣ２とに基づいてＬＥＤ素子Ｅ１，Ｅ２が点灯制御される。
【００１３】
図２Ａは情報表示装置１の分解斜視図である。情報表示装置１は、円筒状の支持部４０と表示部３０と電源部２０とを有し、これらの外径および中心軸の位置とが互いに一致する。情報表示装置１は、支持部４０と表示部３０と電源部２０とを下から順に鉛直方向に積み重ねることにより一体のポールをなす。なお、制御部１０を構成する各回路は、表示部３０と電源部２０と支持部４０とのいずれに収容されてもよい。電源部２０は、ソーラーパネル２１を備え、当該ソーラーパネル２１が情報表示装置１の上面に配置される。なお、電源部２０は、バッテリーや商用電源から電源を得てもよい。
【００１４】
表示部３０は、円筒状の透明容器３１を備える。透明容器３１の内部に第１表示ユニットＵ１と第２表示ユニットＵ２と第１反射板Ｂ１と第２反射板Ｂ２とが収容される。第１表示ユニットＵ１と第２表示ユニットＵ２とは、それぞれ鉛直平面板状に形成され、当該鉛直平面上において複数の光源としてのＬＥＤ素子（発光ダイオード）Ｅ１，Ｅ２が行列状に配列される。本実施形態では、水平方向に４個、鉛直方向に２３個のＬＥＤ素子Ｅ１，Ｅ２が第１表示ユニットＵ１と第２表示ユニットＵ２とにそれぞれ備えられる。ＬＥＤ素子Ｅ１，Ｅ２が配列する鉛直平面を表示面Ｌ１，Ｌ２と表す。第１表示ユニットＵ１と第２表示ユニットＵ２との内部には、それぞれドライバ回路Ｄ１，Ｄ２が収容されている。
【００１５】
図３は表示部３０（透明容器３１を除く）を鉛直上方から見た平面図である。第１表示ユニットＵ１と第２表示ユニットＵ２とは、水平方向に一直線状に並ぶように配置される。ただし、第１表示ユニットＵ１と第２表示ユニットＵ２とは、ＬＥＤ素子Ｅ１，Ｅ２が配列された表示面Ｌ１，Ｌ２が互いに反対側を向くように設置される。すなわち、第１表示ユニットＵ１と第２表示ユニットＵ２とは、それぞれ表示面Ｌ１，Ｌ２から互いに反対方向に光を発光する。一点鎖線で囲む拡大図に示すように、各ＬＥＤ素子Ｅ１，Ｅ２の主光軸は表示面Ｌ１，Ｌ２の法線方向となっており、主光軸から角度が大きくずれるほど発光強度が低下する。また、主光軸からＬＥＤ素子Ｅ１，Ｅ２の有効指向角度α以内であれば、各ＬＥＤ素子Ｅ１，Ｅ２から発光された光の強度が所定閾値ＴＬ以上となることが確保される。本実施形態では、有効指向角度αは６０度であるとする。
【００１６】
第１反射板Ｂ１と第２反射板Ｂ２とは、それぞれ第１表示ユニットＵ１と第２表示ユニットＵ２の表示面Ｌ１，Ｌ２と鉛直方向の交差線にて９０度の交差角β１，β２を挟んで交差する鉛直平面板である。第１反射板Ｂ１，第２反射板Ｂ２のそれぞれ一方の面が反射面Ｍ１，Ｍ２をなす。第１反射板Ｂ１の反射面Ｍ１は、第１表示ユニットＵ１の表示面Ｌ１と９０度の交差角β１を挟んで向かい合う。同様に、第２反射板Ｂ２の反射面Ｍ２は、第２表示ユニットＵ２の表示面Ｌ２と９０度の交差角β２を挟んで向かい合う。
【００１７】
ＬＥＤ素子Ｅ１，Ｅ２の有効指向角度αは表示面Ｌ１，Ｌ２の法線に対して６０度であるため、表示面Ｌ１，Ｌ２から３０度以上の深さの角度で放射される光の強度は所定閾値ＴＬ以上となることが保証される。従って、表示面Ｌ１，Ｌ２から４５度（＝β１／２，β２／２）の深さの角度で放射される光も所定閾値ＴＬ以上の強度を有する。
【００１８】
ここで、交差角β１の二等分線Ｓ１上の十分に遠い視点位置ＶＰ１から表示部３０を視認した場合の情報について説明する。二等分線Ｓ１は、表示面Ｌ１と反射面Ｍ１とのそれぞれに対して４５度（＝β１／２）で交差する。従って、第１表示ユニットＵ１の各ＬＥＤ素子Ｅ１にて発光された光のうち、表示面Ｌ１の法線方向から４５度（＝β１／２）だけ外側にずれた方向の直接光ＤＬ１が視点位置ＶＰ１にて視認される。視点位置ＶＰ１から表示面Ｌ１を見た場合に、各ＬＥＤ素子Ｅ１の直接光ＤＬ１が視認できるように、有効指向角度αにて確保される光の強度である所定閾値ＴＬが、表示部３０から視点位置ＶＰ１までの視認距離を考慮して設定されている。なお、視認距離は表示部３０の大きさよりも十分に長いため、表示部３０内における光路長の差によって、各ＬＥＤ素子Ｅ１から発光された直接光ＤＬ１の視点位置ＶＰ１における強度差が実質的に生じないと考えることができる。以上のように、第１点灯データＣ１に基づいて第１表示ユニットＵ１の各ＬＥＤ素子Ｅ１の点灯を制御することにより、視点位置ＶＰ１にて第１点灯データＣ１に対応する情報（直接像ＤＩ１）を視認することができる。
【００１９】
また、二等分線Ｓ１は、表示面Ｌ１と反射面Ｍ１とのそれぞれに対して４５度（＝β１／２）で交差するため、反射面Ｍ１にて反射した光のうち反射面Ｍ１にて４５度の角度で外側に反射した反射光ＲＬ１が二等分線Ｓ１上の視点位置ＶＰ１にて視認される。そして、反射面Ｍ１にて４５度の角度で反射する反射光ＲＬ１は、第１表示ユニットＵ１の各ＬＥＤ素子Ｅ１にて発光された光のうち、表示面Ｌ１の法線方向から４５度（＝β１／２）だけ内側にずれた成分となる。表示面Ｌ１の法線方向から４５度だけ内側にずれて発光された光は、有効指向角度α内の光であるため、強度が所定閾値ＴＬ以上となることが確保さる。さらに、反射面Ｍ１における全反射においてほぼ反射光ＲＬ１の強度が減衰しないため、反射光ＲＬ１も所定閾値ＴＬの強度で表示部３０から放射されることとなる。従って、反射光ＲＬ１も視点位置ＶＰ１にて視認できる。なお、反射面Ｍ１の臨界角は４５度よりも小さいため、反射光ＲＬ１は反射面Ｍ１にて全反射した光となる。また、表示部３０から視点位置ＶＰ１までの視認距離は表示部３０の大きさよりも十分に長いため、表示部３０内における光路長の差によって、各ＬＥＤ素子Ｅ１に対応する反射光ＲＬ１の視点位置ＶＰ１における強度差が実質的に生じず、直接光ＤＬ１と反射光ＲＬ１との強度差も実質的に生じないと考えることができる。
【００２０】
以上のように、第１点灯データＣ１に基づいて第１表示ユニットＵ１の各ＬＥＤ素子Ｅ１の点灯を制御することにより、視点位置ＶＰ１にて第１点灯データＣ１に対応する直接像ＤＩ１の反射像ＲＩ１を視認することができる。また、直接像ＤＩ１の明るさと、反射像ＲＩ１の明るさとは実質的に均一となる。なお、直接像ＤＩ１と反射像ＲＩ１とは、表示面Ｌ１と反射面Ｍ１との交差角β１の二等分線Ｓ１に関して線対称となる。
【００２１】
次に、交差角β２の二等分線Ｓ２上の十分に遠い視点位置ＶＰ２から表示部３０を視認した場合の情報について説明する。表示面Ｌ２と反射面Ｍ２と視点位置ＶＰ２との相対位置関係は、表示面Ｌ１と反射面Ｍ１と視点位置ＶＰ１との相対位置関係を維持したまま交差角β１，β２を中心として１８０度回転させたものとなるため、視点位置ＶＰ２から表示部３０を視認した場合も、視点位置ＶＰ１から表示部３０を視認した場合と同様となる。従って、視点位置ＶＰ２から表示部３０を視認した場合には、第２表示ユニットＵ２の表示面Ｌ２から発光された直接光ＤＬ２による直接像ＤＩ２と、第２表示ユニットＵ２の表示面Ｌ２から発光された光が反射面Ｍ２にて反射した反射光ＲＬ２による反射像ＲＩ２とが視認される。また、直接像ＤＩ２と反射像ＲＩ２とは、交差角β２の二等分線Ｓ２に関して線対称となる。以上の装置構成において表示部３０に表示させる表示情報の例について以下説明する。
【００２２】
（２）表示例：
図４Ａは、直接像ＤＩ（ＤＩ１，ＤＩ２）と反射像ＲＩ（ＲＩ１，ＲＩ２）とを交差角β（β１，β２）の二等分線Ｓ（Ｓ１，Ｓ２）を挟んで並べた図である。なお、二等分線Ｓは、視点位置Ｖから表示部３０を視認した場合における、表示面Ｌ（Ｌ１，Ｌ２）と反射面Ｍ（Ｍ１，Ｍ２）との交差線の投影軌跡を示す。直接像ＤＩは表示面Ｌを視点位置ＶＰ１から直接見た情報であり、直接像ＤＩを構成する点光源の水平方向の間隔は、水平方向におけるＬＥＤ素子Ｅ（Ｅ１，Ｅ２）の現実の間隔にｓｉｎ（β／２）を乗算した大きさとなる。反射像ＲＩは直接像ＤＩと線対称であるため、反射像ＲＩを構成する点光源の水平方向の間隔も同様となる。一方、直接像ＤＩを構成する点光源の鉛直方向の間隔は、水平方向におけるＬＥＤ素子Ｅの現実の間隔と一致する。従って、直接像ＤＩと反射像ＲＩを構成する点光源の間隔を水平方向と鉛直方向において一致させる場合、すなわち直接像ＤＩと反射像ＲＩを構成する点光源を正方格子状に配列する場合には、鉛直方向におけるＬＥＤ素子Ｅの現実の間隔を、水平方向におけるＬＥＤ素子Ｅの現実の間隔にｓｉｎ（β／２）を乗算した大きさとすればよい。
【００２３】
図４Ａに示す直接像ＤＩと反射像ＲＩとにより鉛直方向上向きの矢印を示す表示情報ＯＩが形成される。なお、直接像ＤＩにて点灯している点光源としてのＬＥＤ素子Ｅを実線で囲まれた白丸で示し、消灯した点光源を黒丸で示す。また、反射像ＲＩにて点灯して見える点光源を破線で囲まれた白丸で示し、消灯した点光源をハッチングの丸で示す。
図４Ａの表示情報ＯＩは、二等分線Ｓに関して線対称となっている。当該表示情報ＯＩは、（水平方向：８個×鉛直方向：２３個）の点光源によって構成されるが、実際に点灯制御を行う必要のあるＬＥＤ素子Ｅの個数は半分の（水平方向：４個×鉛直方向：２３個）で済む。従って、視認される表示情報ＯＩの大きさを大きく確保しつつ、ＬＥＤ素子Ｅの点灯に要する消費エネルギーを半減させることができる。
【００２４】
図４Ａに示す直接像ＤＩと反射像ＲＩとにより鉛直方向上向きの矢印を示す表示情報ＯＩが形成される。当該表示情報ＯＩは、二等分線Ｓに関して線対称となっている。当該表示情報ＯＩは、（水平方向：８個×鉛直方向：２３個）の点光源によって構成されるが、実際に点灯制御を行う必要のあるＬＥＤ素子Ｅの個数は半分の（水平方向：４個×鉛直方向：２３個）で済む。従って、視認される表示情報ＯＩの大きさを大きく確保しつつ、ＬＥＤ素子Ｅ１，Ｅ２の点灯に要する消費エネルギーを半減させることができる。従って、ソーラーパネル２１が発電した電力により、情報表示装置１の消費電力をまかなうことができる。また、直接像ＤＩに対応した点灯制御を行えばよく、直接像ＤＩを表示させるための点灯データＣ（Ｃ１，Ｃ２）のデータ量も半減できる。
【００２５】
図４Ｂに示す直接像ＤＩと反射像ＲＩとにより、二等分線Ｓに関して線対称な"Ｘ"印を表す表示情報ＯＩが形成される。"Ｘ"印を示す表示情報ＯＩも二等分線Ｓに関して線対称となっている。
図４Ｃに示す直接像ＤＩと反射像ＲＩとにより、鉛直方向上向きの２個の矢印が上下に並んだ表示情報ＯＩ１，ＯＩ２が形成される。表示情報ＯＩ１，ＯＩ２は、ともに二等分線Ｓに関して線対称である。表示情報ＯＩ１と表示情報ＯＩ２とは、鉛直方向における矢印の位置が互いに異なっており、表示情報ＯＩ１と表示情報ＯＩ２とを交互に表示させることにより、矢印が鉛直上方に移動する動画を表示する。この場合、制御部１０は、表示情報ＯＩ１に対応する点灯データＣに基づく点灯制御データＣＣと、表示情報ＯＩ２に対応する点灯データＣに基づく点灯制御データＣＣとを交互に表示部３０に出力すればよい。
【００２６】
図４Ｄに示す直接像ＤＩと反射像ＲＩとにより、底辺が鉛直下方に位置する２個の二等辺三角形が上下に並んだ表示情報ＯＩ１，ＯＩ２が形成される。２個の二等辺三角形を表す表示情報ＯＩ１，ＯＩ２は、ともに二等分線Ｓに関して線対称である。制御部１０は、表示情報ＯＩ１に対応する点灯データＣに基づく点灯制御データＣＣと、表示情報ＯＩ２に対応する点灯データＣに基づく点灯制御データＣＣとを交互に表示部３０に出力することにより、二等辺三角形が鉛直上方に移動する動画を表示する。
【００２７】
図５Ａに示す直接像ＤＩと反射像ＲＩとにより丸印を示す表示情報ＯＩが形成される。丸印を示す表示情報ＯＩも二等分線Ｓに関して線対称となっている。
図５Ｂに示す直接像ＤＩと反射像ＲＩとにより２個の"Ｘ"印が上下に並んだ表示情報ＯＩ１，ＯＩ２が形成される。２個の"Ｘ"印を表す表示情報ＯＩ１，ＯＩ２は、ともに二等分線Ｓに関して線対称である。制御部１０は、表示情報ＯＩ１に対応する点灯データＣに基づく点灯制御データＣＣと、表示情報ＯＩ２に対応する点灯データＣに基づく点灯制御データＣＣとを交互に表示部３０に出力することにより、"Ｘ"印への注意が強く喚起される動画を表示する。
【００２８】
図５Ｃに示す直接像ＤＩと反射像ＲＩとにより縦書きの文字"出口"を示す表示情報ＯＩが形成される。文字"出口"を示す表示情報ＯＩも二等分線Ｓに関して線対称となっている。すなわち、線対称な文字であれば、文字を表す表示情報ＯＩの表示も可能である。当該表示情報ＯＩは、（水平方向：６個×鉛直方向：２３個）の点光源によって構成されるが、実際に点灯制御を行う必要のあるＬＥＤ素子Ｅの個数は半分の（水平方向：３個×鉛直方向：２３個）で済む。
図５Ｄに示す直接像ＤＩと反射像ＲＩとにより縦書きの文字"ＯＵＴ"を示す表示情報ＯＩが形成される。文字"ＯＵＴ"を示す表示情報ＯＩも二等分線Ｓに関して線対称となっている。
【００２９】
（３）設置例：
次に道路に対する情報表示装置１の設置例を説明する。図６は、一方通行の道路Ｋの側方に情報表示装置１が設置される様子を示す模式図である。一方通行の道路Ｋの具体例として、高速道路の本線車線に対する進入道路や退出道路等が挙げられる。情報表示装置１は、交差角β１の二等分線Ｓ１の方向（交差角β１からの離間方向）が、道路Ｋを順走した場合の走行方向と反対の方向となるように設置されている。同時に、交差角β２の二等分線Ｓ２の方向（交差角β２からの離間方向）が、道路Ｋを逆送した場合の走行方向と反対の方向となる。なお、道路Ｋが湾曲する位置に情報表示装置１を設置する場合には、二等分線Ｓ１の方向が道路Ｋの接線方向となるように情報表示装置１を設置する。情報表示装置１を固定した後に表示部３０の方向が調整できるように、表示部３０を回転可能に保持させてもよい。また、表示部３０は一体として回転できてもよいし、表示面Ｌ１と反射面Ｍ１、および、表示面Ｌ２と反射面Ｍ２の方向がそれぞれ交差角β１，β２を維持したまま個別に調整できてもよい。
【００３０】
図６の例において、交差角β１を挟む表示面Ｌ１と反射面Ｍ１が形成する直接像ＤＩ１と反射像ＲＩ１とにより、矢印を示す表示情報ＯＩ（図４Ａ）が形成される。すなわち、制御部１０は、点灯データＣ１に基づいて矢印を示す表示情報ＯＩを表示するための点灯制御データＣＣ１を表示部３０に出力する。従って、道路Ｋを順走して情報表示装置１に接近する車両の正面において、矢印を示す表示情報ＯＩを表示させることができる。これにより、車両の搭乗者は、正常な方向に走行していることを認識できる。ここでは走行方向が正常であることを通知することができればよく、道路Ｋを順走して情報表示装置１に接近する車両の正面において、図４Ｃ，図４Ｄ，図５Ａの表示情報ＯＩを表示させてもよい。
【００３１】
一方、交差角β２を挟む表示面Ｌ２と反射面Ｍ２が形成する直接像ＤＩ２と反射像ＲＩ２とにより、"Ｘ"印を示す表示情報ＯＩ（図４Ｂ）が表示される。すなわち、制御部１０は、点灯データＣ２に基づいて"Ｘ"印を示す表示情報ＯＩを表示するための点灯制御データＣＣ２を表示部３０に出力する。従って、道路Ｋを逆走して情報表示装置１に接近する車両の正面において、"Ｘ"印を示す表示情報ＯＩを表示させることができる。これにより、車両の搭乗者は、異常な方向に走行していることを認識できる。また、"Ｘ"印を示す表示情報ＯＩを間欠的に表示させることにより、"Ｘ"印を点滅させてもよい。これにより、"Ｘ"印への注意を強く喚起できる。ここでは走行方向が異常であることを通知することができればよく、道路Ｋを逆走して情報表示装置１に接近する車両の正面において、図５Ｂの表示情報ＯＩ１，ＯＩ２を表示させてもよい。また、高速道路の本線車線からの退出道路や、サービスエリアやパーキングエリア等からの退出道路においては、道路Ｋを順走して情報表示装置１に接近する車両の正面において、図５Ｃ，図５Ｄの表示情報ＯＩを表示させてもよい。
【００３２】
なお、情報表示装置１は車両が通行する道路Ｋに限らず、例えば一方通行の自転車道や歩道に情報表示装置１を備えさせてもよい。むろん、情報表示装置１は、通行の妨げとならない限りにおいて、道路Ｋの内側に備えられてもよい。例えば、通行方向が同一方向の２車線の分離帯上に情報表示装置１を備えさせてもよい。また、情報表示装置１から視点位置ＶＰに向かう方向と、現実の道路Ｋにおいて情報表示装置１から当該情報表示装置１を視認する車両へと向かう方向（二等分線Ｓの方向）との差が少ないほど、現実に車両から視認される表示情報ＯＩの画質（直接像ＤＩと反射像ＲＩとの間における水平方向の点光源の間隔の均一度）が良好となる。従って、情報表示装置１から視点位置ＶＰに向かう方向と、現実の道路Ｋにおいて情報表示装置１から車両へと向かう方向との差が少なくなるように、情報表示装置１はできるだけ道路Ｋの走行車線に近い位置に設置するのが望ましい。
【００３３】
（４）変形例：
第１実施形態においては、表示面Ｌと反射面Ｍとが２組備えられるようにしたが、情報表示装置１において表示面Ｌと反射面Ｍが１組のみ備えられてもよい。すなわち、情報表示装置１は、単一の表示情報ＯＩのみを表示してもよい。また、表示面Ｌと反射面Ｍとの交差角βは９０度に限られない。例えば、交差角βを鈍角化させることにより、直接像ＤＩおよび反射像ＲＩの幅を、表示面Ｌの現実の幅に近い大きさとすることができる。これにより、表示情報ＯＩの実効的な幅を広くすることができる。さらに、表示面Ｌと反射面Ｍとの交差角βを可変としてもよい。例えば、反射面Ｒに対して外部から光が入射しやすい昼間においては、夜間よりも交差角βを狭くしてもよい。
【００３４】
さらに、図７に示すように表示面Ｌと反射面Ｍとを４組備えるようにしてもよい。すなわち、図３の２組の表示面Ｌ１，Ｌ２と反射面Ｍ１，Ｍ２とを９０度時計回りに回転させた２組の表示面Ｌ３，Ｌ４と反射面Ｒ３，Ｒ４とをさらに設け、表示面Ｌ１〜Ｌ４の裏面同士が平行に接するように配置する。これにより、表示面Ｌ１〜Ｌ４と反射面Ｍ１〜Ｒ４との交差角β１〜β４の二等分線Ｓ１〜Ｓ４が９０度ずつ４方向にずれて形成される。従って、情報表示装置１を９０度ずつずれた４方向から見た場合に、それぞれ異なる表示情報ＯＩを視認させることができる。
【００３５】
第１実施形態では、円筒状の情報表示装置１を例示したが、情報表示装置１は他の形状であってもよい。例えば、直方体の透明容器に図３に示す表示部３０を収容し、二等分線Ｓに直交する透明容器の１面にそれぞれ表示面Ｌと反射面Ｒとを備えさせてもよい。また、表示面Ｌと反射面Ｍとを複数組備える場合、表示面Ｌと反射面Ｍとの交差角βの二等分線Ｓを必ずしも放射方向に配向させなくてもよい。例えば、交差角βの二等分線Ｓが互いに平行となる表示面Ｌと反射面Ｍとの組を複数備えさせてもよい。また、表示面Ｌと反射面Ｍとは鉛直方向に交差しなくてもよく、例えば水平方向に交差してもよい。さらに、情報表示装置１の設置場所は特に限定されず、道路以外の場所に設置されてもよい。
【００３６】
また、図８に示すように、表示面Ｌと反射面Ｍとの双方が視認できる範囲からのみ視認を可能とするガイドＧ（目隠し）を、表示面Ｌと反射面Ｍとの外側端部において二等分線Ｓ１、Ｓ２に平行に配置するようにしてもよい。これにより、表示面Ｌと反射面Ｍのいずれか一方のみを見て表示情報の誤認をすることが防止できる。ただし、ガイドＧは常に二等分線Ｓ１、Ｓ２に平行に配置する必要はなく、制限する視認範囲に応じてガイドＧの方向を設定すればよい。また、制限する視認範囲が調整できるように、ガイドＧの設置方向を可変としてもよい。
【符号の説明】
【００３７】
１…情報表示装置、１０…制御部、２０…電源部、２１…ソーラーパネル、３０…表示部、Ｕ…表示ユニット、Ｄ…ドライバ回路、Ｕ…表示ユニット、Ｂ…反射板、３１…透明容器、４０…支持部、Ｃ…点灯データ、ＤＩ…直接像、ＤＬ…直接光、Ｅ…ＬＥＤ素子、Ｌ…表示面、Ｍ…反射面、ＲＩ…反射像、ＲＬ…反射光、Ｓ…二等分線、ＯＩ…表示情報、ＶＰ…視点位置、α…有効指向角度、β…交差角。
【図１】
2013033114.tif 000003
【図２】
2013033114.tif 000004
【図３】
2013033114.tif 000005
【図４】
2013033114.tif 000006
【図５】
2013033114.tif 000007
【図６】
2013033114.tif 000008
【図７】
2013033114.tif 000009
【図８】
2013033114.tif 000010